(57)【要約】【課題】壁面部を有効利用するために吊下げ棚等の棚板の前端部への吊下げ用ホルダーを介しての小物類の吊下げ収納を可能とし、しかもホルダーによる吊下げ位置の左右への変更やホルダーそのものの取り付け・取り外しが容易であって、また吊下げられる小物類においても、その大きさ、形状、種類等についての自由度が大きい、吊下げ収納のための新しい手段としての収納棚を提供する。【解決手段】吊下げ収納具（１０）を備えた収納棚であって、吊下げ収納具（１０）は、棚板（２０）の保持部（２１）に着脱自在に係合する係合部（１１）とともにその下部に収納部（１３）を有し、棚板（２０）に吊下げ保持される収納棚とする。【選択図】      図１
2004254752.tif 000002
【特許請求の範囲】
【請求項１】
吊下げ収納具を備えた収納棚であって、吊下げ収納具は、棚板の保持部に着脱自在に係合する係合部とともにその下部に収納部を有し、棚板に着脱自在に吊下げ保持されていることを特徴とする収納棚。
【請求項２】
吊下げ収納具は、棚板下面に当接して揺れを防止する当接支持部を有していることを特徴とする請求項１の収納棚。
【請求項３】
棚板の保持部は、レール状であることを特徴とする請求項１の収納棚。
【請求項４】
収納具の支持部は、棚板下面に当接する突出部を有していることを特徴とする請求項２の収納棚。
【請求項５】
支持部の棚板下面への当接部には滑り止め部材が具備されていることを特徴とする請求項２ないし４のいずれかの収納棚。
【発明の詳細な説明】
【０００１】
【発明の属する技術分野】
この出願の発明は、収納棚に関するものである。さらに詳しくは、この出願の発明は、棚板に保持され、左右のスライドが容易とされた着脱自在の吊下げ収納具を備えた新しい収納棚に関するものである。
【０００２】
【従来技術】
従来より、キッチン等の壁面においては小物類を吊下げ支持するための工夫がなされてきており、たとえば、図６に例示したような、左右にスライド自在な調味料受け等の収納器具の掛止構造（特許文献１）が提案されている。図６の掛止構造では、レール（６０）が壁面部（７０）に固定され、レール（６０）に設けられた溝部に掛止部材（８０）が左右方向にスライド自在に掛止可能とされている。そして、スライド自在された掛止部材（８０）に前方突出させたフック部（９０）に、キッチン用等の小物類を吊下げ支持するようにしている。
【０００３】
しかしながら、この図６に例示した掛止構造では、小物類を吊下げ支持するフック部（９０）が、壁面部（８０）に近接しているため、吊下げ支持することのできる小物類の大きさ、その形状にはおのずと制約があり、またフック部（９０）への小物類の吊下げのための手段にも制限があった。また、当然にも、キッチン等の壁面は棚板等の設定による収納部の形成が可能であることを考慮すると、壁面の有効利用の点でも必ずしも好ましいものではなかった。
【０００４】
一方、このような問題点を解消するための手段として、たとえば、棚板を利用した、図７のような構造（特許文献２）も提案されている。
【０００５】
この構造においては、棚板（１００）をその前端側から一対のアーム片部（１２０）を挿入して挟持するようにしたホルダー（１１０）によって、その横桟部（１３０）には布巾等を、またフック部（１４０）には吊下げ可能な小物類を収納できるようにしている。この構造では、棚板（１００）を用いることで、壁面部の利用度は大きくなり、また収納されるものも、棚板（１００）前端部での横桟部（１３０）やフック部（１４０）への掛止が可能とされることから、その大きさや形状の制約も、図６の例に比べてはるかに小さなものとなる。
【０００６】
しかしながら、この構造においては、アーム片部（１２０）による挟持によってホルダー（１１０）が棚板（１００）に固定されているため、取り付け位置の移動には、アーム片部（１２０）を棚板（１００）から引き抜いて取外す必要がある。そのため、ホルダー（１１０）を左右方向への僅かに移動させようとする場合にも取外す必要があり、ホルダー（１１０）の取り付け位置の変更や取り付け取り外しは、大変に煩わしいという問題があった。しかも、この従来構造では、ホルダー（１１０）における吊下げ収納のための手段は、横桟部（１３０）とフック部（１４０）だけであるため、おのずと吊下げ可能な小物類としては布巾や調理具の特定のものに限られるという制約があった。
【０００７】
【特許文献１】
特開平１０−８０３６９号公報
【特許文献２】
実開平５−５１２２６号公報
【０００８】
【発明が解決しようとする課題】
そこでこの出願の発明は、以上のとおりの事情に鑑みてなされたものであって、従来の問題点を解消して、壁面部を有効利用するために吊下げ棚等の棚板の前端部への吊下げ用ホルダーを介しての小物類の吊下げ収納を可能とし、しかもホルダーによる吊下げ位置の左右への変更やホルダーそのものの取り付け・取り外しが容易であって、また吊下げられる小物類においても、その大きさ、形状、種類等についての自由度が大きい、吊下げ収納のための新しい手段を提供することを課題としている。
【０００９】
【課題を解決するための手段】
この出願の発明は、前記の課題を解決するものとして、第１に、吊下げ収納具を備えた収納棚であって、吊下げ収納具は、棚板の保持部に着脱自在に係合する係合部とともにその下部に収納部を有し、棚板に着脱自在に吊下げ保持されていることを特徴とする収納棚を提供する。
【００１０】
またこの出願の発明は、第２には、吊下げ収納具は、棚板下面に当接して揺れを防止する当接支持部を有していることを特徴とする収納棚を、第３には、棚板の保持部は、レール状であることを特徴とする収納棚を提供し、第４には、収納具の支持部は、棚板下面に当接する突出部を有することを特徴とする収納棚を、そして、第５には、支持部の棚板下面への当接部には滑り止め部材が具備されていることを特徴とする収納棚を提供する。
【００１１】
【発明の実施の形態】
この出願の発明は、上記のとおりの特徴をもつものであるが、以下に、添付した図面に沿って、この出願の発明の実施形態について詳細かつ具体的に説明する。
【００１２】
図１は、この出願の発明の一実施形態を模式的に例示した分解斜視図である。この収納棚では、棚板（２０）の保持部（２１）に着脱自在に係合する係合部（１１）とともにその下部に収納部（１３）を有する吊下げ収納具（１０）が、棚板（２０）の前端部に吊下げ保持されることを特徴としている。
【００１３】
図１の例においては、吊下げ収納具（１０）は、線材によって構成されているが、これに限定されることはなく、帯状材や板状、棒状等の各種のものやこれら各種のものの組み合わせによって構成されたものでもよいことは言うまでもない。また、棚板（２０）に配設される保持部（２１）についても同様である。
【００１４】
いずれの場合においても、この出願の発明においては、吊下げ収納具（１０）はその係合部（１１）において棚板（２０）の保持部（２１）に着脱自在に、左右スライド容易に係合されていることと、その下部には、目的や用途に応じて収納する小物類の種類や大きさ、その形状等への適合自由度が大きな収納部（１３）を有していることが本質的な特徴である。
【００１５】
具体例に沿って説明すると、図１への例では、吊下げ収納具（１０）の係合部（１１）は、その上部の奥行き方向の先端から下方への屈曲部によって形成されており、また収納部（１３）は、係合部（１１）に続く支持部（１２）下方に延設されている。この図１の例では、収納部（１３）は、収納部外枠（１３１）の先端部が前方上方向に湾曲し、収納部内枠（１３２）とともに収納物を保持し、落下を防止するようにしている。この例の収納部（１３）の構成によって、たとえば収納部外枠（１３１）と収納部内枠（１３２）とによって、キッチンペーパーロール等を吊下げ収納可能としており、また収納部外枠（１３１）の先端部への調理具の吊下げや、収納部内枠（１３２）への布巾等の吊下げも可能としている。
【００１６】
もちろん、収納部（１３）においては、収納する対象小物類に応じて様々な形態であってよい。
【００１７】
たとえば、以上例示したように、この出願の発明の収納棚によれば、壁面部を有効利用するために吊下げ棚等の棚板の前端部への吊下げ用ホルダーを介しての小物類の吊下げ収納を可能とし、しかもホルダーによる吊下げ位置の左右への変更やホルダーそのものの取り付け・取り外しが容易であって、また吊下げられる小物類においても、その大きさ、形状、種類等についての自由度が大きい、吊下げ収納のための新しい手段が提供されることになる。
【００１８】
図２は、図１の収納棚をキャビネット内に設置した様子を例示した側断面図である。キャビネット（３０）内に配設されている棚板（２０）の上面には、保持部（２１）が具備されており、吊下げ収納具（１０）は、その係合部（１１）と棚板（２０）の保持部（２１）との係合保持によって吊下げられ、着脱自在に係合され、左右方向へスライドが自在容易とされている。そして、この図２に例示したように、この出願の発明の収納棚においては、吊下げ収納具（１０）は、棚板（２０）の下面に当接して揺れを防止する当接支持部（１２Ａ）を有していることが好適なものとして考慮される。つまり、支持部（１２）が当接支持部（１２Ａ）において棚板（２０）の下面に当接保持されることによって、吊下げ収納具（１０）をより安定に保持することができる。また、図１並びにこの図２の例にように、係合部（１１）よりも当接保持部（１２Ａ）の奥行きを長くすることで、より安定にこの出願の発明の収納棚を設置することができる。そして、図１および図２に例示したように、この出願の発明の収納棚では、棚板（２０）に設ける保持部（２１）と吊下げ収納具（１０）の係合部（１１）との係合構造は、棚板（２０）の保持部（２１）がレール状とされていることがスムーズな左右へのスライド移動にとって好ましいと考慮されるが、保持部（２１）が図１および図２の例に限定されることはない。
【００１９】
また、この出願の発明の棚板は、吊戸棚における棚板構造に限られることはないが、このものは、各種の付随的特徴を有していてもよく、たとえば図２の例のように、棚板（２０）側面にレール部（２２）を配設し可動式にすることによって、棚板（２０）を前後方向（矢印）にスライド可能とし、任意にキャビネット（３０）から棚板（２０）を出し入れすることができる。もちろん、この出願の発明の収納棚の棚板（２０）は、固定式のものでもよい。
【００２０】
図３は、この出願の発明の別の実施形態を例示した分解斜視図であり、図４は、キャビネット内に設置した様子を例示した側断面図である。
【００２１】
この例では、吊下げ収納具（１０）は、支持部（１２）において、棚板（２０）下面に当接して振れを防止するための突出部（１４）を有しており、またこの突出部（１４）には滑り止め部材（１５）が具備されている。支持部（１２）が、突出部（１４）を備えることによって、点接触で棚板（２０）に当接保持されるため安定性が向上し、さらに前記のとおり、棚板（２０）下面への当接部にゴムやウレタン、シリコン製等の滑り止め部材（１５）が具備されることによって、吊下げ収納具（１０）の振れ等をより効果的に抑制することもできる。また、図３および図４の例では、収納部外枠（１３１）から延設されたホルダー（１３３）を備えることによって、キッチンペーパー等のシート巻状体（４０）の中心穴部にこれを挿入し、安定保持するようにしている。
【００２２】
図５は、この出願の発明の収納棚のさらに別の実施形態を例示した側断面図である。この図５は、収納部（１３）に箱状の収納箱（５０）を設置した様子を例示した図である。すなわち、この出願の発明によれば、収納物の各種の種類や形態、大きさ等に適合することができ、種々のバリエーションの形状、たとえば、シート巻状の収納物を保持することのできる湾曲状や箱体状の収納物や調味料等を収納できる収納ケースを保持することのできる直線状等、として収納部外枠（１３１）および収納部内枠（１３２）等を構成することができる。
【００２３】
また、この出願の発明の収納棚の各部材は、木質系や樹脂、あるいはアルミニウムや真鍮、防錆効果のある合金等の金属等の各種の素材とすることができ、滑り止め部材（１５）においても、たとえば前記のとおりのゴムやシリコン等（摩擦係数が大きいものが好ましい）を使用することができる。
【００２４】
さらにまた、この出願の発明の収納棚を構成する各部材の形状や大きさ等のその細部の形態において様々に可能であることは言うまでもない。たとえば、保持部（２１）においては、棚板上面に上方向に突出状に設けて、そこに溝部（図示せず）等を設けたものでもよいし、また係合部（１１）の形状においては、このような保持部（２１）の溝部（図示せず）等に引掛けるためツメ状の掛止部（図示せず）を設けて、安定、かつ、スムーズなスライド可動としてもよい。また、支持部（１２）においても、支持部（１２）全体が突出した形状でもよく、この場合棚板（２０）下面への当接部が、支持部（１２）全体となり、この支持部（１２）全体に滑り止め部材（１５）を具備させてもよい。係合部（１１）と支持部（１２）の幅も、上記のように同一また略同一に限定されず、どちらか一方が広い、あるいは、狭くてもよい。
【００２５】
このように、この出願の発明は以上の実施形態の例示に限られるものではない。
【００２６】
【発明の効果】
以上詳しく説明したとおり、この出願の発明によって、壁面部を有効利用するために吊下げ棚等の棚板の前端部への吊下げ用ホルダーを介しての小物類の吊下げ収納を可能とし、しかもホルダーによる吊下げ位置の左右への変更やホルダーそのものの取り付け・取り外しが容易であって、また吊下げられる小物類においても、その大きさ、形状、種類等についての自由度が大きい、吊下げ収納のための新しい手段としての収納棚が提供される。
【図面の簡単な説明】
【図１】この出願の発明の一実施形態を例示した分解斜視図である。
【図２】図１に例示した実施形態を例示した側断面図である。
【図３】この出願の発明の別の実施形態を例示した分解斜視図である。
【図４】図３に例示した実施形態を例示した側断面図である。
【図５】この出願の発明のさらに別の実施形態を例示した側断面図である。
【図６】従来の収納器具の掛止構造を例示した斜視図である。
【図７】別の従来の収納器具の取付けを例示した斜視図である。
【符号の説明】
１０  吊下げ収納具
１１  係合部
１２  支持部
１２Ａ    当接支持部
１３  収納部
１３１    収納部外枠
１３２    収納部内枠
１３３    ホルダー
１４  突出部
１５  滑り止め部材
１６  横補強枠
１７  縦枠
２０  棚板
２１  保持部
２２  レール部
３０  キャビネット
４０  シート巻状体
５０  収納箱
６０  レール
７０  壁面部
８０  掛止部材
９０  フック部
１００    棚板
１１０    ホルダー
１２０    アーム片部
１３０    横桟部
１４０    フック部
【図１】
2004254752.tif 000003
【図２】
2004254752.tif 000004
【図３】
2004254752.tif 000005
【図４】
2004254752.tif 000006
【図５】
2004254752.tif 000007
【図６】
2004254752.tif 000008
【図７】
2004254752.tif 000009